(57)【要約】【課題】  給湯水栓のノズル部に手等が触れて火傷することを防止すると共に、ノズル部を本体から取り外して清掃又は交換することのできる給湯水栓を提供する。【解決手段】  給湯部に接続され給湯部と外部とを連通する通路を弁体20で開閉する弁機構18を有する本体12と、本体12における通路の弁体20から外部側に一端部が接続され他端部が下方を向くように形成されているノズル部14とを備える給湯水栓10において、ノズル部14は、本体12に一端部が接続され他端部が先端部に設けられている吐出口部材52に接続されている可撓性を有する樹脂製のチューブ50と、チューブ50及び吐出口部材52の周囲に設けられ一端部が本体12に着脱可能に接続されているカバー部材56とを有してなる。【選択図】        図１
2005163458.tif 000002
【特許請求の範囲】
【請求項１】
給湯部に接続され給湯部と外部とを連通する通路を弁体で開閉する弁機構を有する本体と、該本体における前記通路の前記弁体から外部側に一端部が接続され他端部が下方を向くように形成されているノズル部とを備える給湯水栓において、
前記ノズル部は、前記本体に一端部が接続され他端部が先端部に設けられている吐出口部材に接続されている可撓性を有する樹脂製のチューブと、該チューブ及び前記吐出口部材の周囲に設けられ一端部が前記本体に着脱可能に接続されているカバー部材とを有することを特徴とする給湯水栓。
【請求項２】
前記ノズル部は、前記ノズル部を前記本体から取り外して前記ノズル部の長手方向に対して略垂直方向に分離可能であることを特徴とする請求項１記載の給湯水栓。
【請求項３】
前記弁機構には前記通路を前記弁体で開口する開口量を調節する調整部材を備え、前記調整部材を着脱可能に遮蔽するカバー部材を有することを特徴とする請求項１又は２記載の給湯水栓。
【発明の詳細な説明】
【技術分野】
【０００１】
本発明は、給湯部に接続され給湯部と外部とを連通する通路を弁体で開閉する弁機構を有する本体と、本体における通路の弁体から外部側に一端部が接続され他端部が下方を向くように形成されているノズル部とを備える給湯水栓に関する。
【背景技術】
【０００２】
従来、給湯部に接続され給湯部と外部とを連通する通路を弁体で開閉する弁機構を有する本体と、本体における通路の弁体から外部側に一端部が接続され他端部が下方を向くように形成されているノズル部とを備える給湯水栓としては、弁体を有する弁箱を備え、基部が斜め上方に立ち上がり、前方において下方に湾曲して吐水口が形成されているノズル部を備え、給湯部の接続部に接続可能の給湯水栓において、ノズル先端部に、整流板が内設されているポリプロピレン樹脂製の管状チップが、ノズル先端と管状チップ接続端間にＯリングを配置して、螺子により液密に取り付けられていることを特徴とする給湯水栓が知られている（特許文献１参照）。
【０００３】
また、弁体を有する弁箱を備え、基部が斜め上方に立ち上がり、前方において下方に湾曲して吐水口が形成されているノズル部を備え、給湯部の接続部に接続可能の給湯水栓において、ノズル部の周囲が、断熱材により被覆されており、弁箱の下方に支持部材が設けられ、支持部材の下端に丁番を介して容器支持板が取付けられていることを特徴とする給湯水栓が知られている（特許文献２参照）。
【特許文献１】特許第２９２５４６０号公報
【特許文献２】特許第２９４２７１５号公報
【発明の開示】
【発明が解決しようとする課題】
【０００４】
しかしながら、上述の従来技術では、前者は、給湯水栓には給湯部から湯が常時供給され、ノズル部には本体から湯の熱が伝わって熱くなっているため、ノズル部に手等が触れると火傷するという問題点がある。また、ノズル部が本体と一体に形成されているため、ノズル部の内部に湯垢が付着した場合に、ノズル部を本体から取り外して清掃又は交換することができないという問題点がある。
【０００５】
また、後者は、ノズル部の周囲が断熱材で被覆されているためノズル部に手等が触れて火傷するという問題はないが、前者と同様に、ノズル部が本体と一体に形成されているため、ノズル部の内部に湯垢が付着した場合に、ノズル部を本体から取り外して清掃又は交換することができないという問題点がある。
【０００６】
本発明は、このような状況を鑑みてなされたもので、給湯水栓のノズル部に手等が触れて火傷することを防止すると共に、ノズル部を本体から取り外して清掃又は交換することのできる給湯水栓を提供することを目的とする。
【課題を解決するための手段】
【０００７】
前述の課題を解決するため、本発明に係る給湯水栓は、次のような手段を採用する。
【０００８】
即ち、請求項１記載の発明は、給湯部に接続され給湯部と外部とを連通する通路を弁体で開閉する弁機構を有する本体と、該本体における前記通路の前記弁体から外部側に一端部が接続され他端部が下方を向くように形成されているノズル部とを備える給湯水栓において、前記ノズル部は、前記本体に一端部が接続され他端部が先端部に設けられている吐出口部材に接続されている可撓性を有する樹脂製のチューブと、該チューブ及び前記吐出口部材の周囲に設けられ一端部が前記本体に着脱可能に接続されているカバー部材とを有することを特徴とする。
【０００９】
また、請求項２記載の発明は、請求項１記載の発明において、前記ノズル部は、前記ノズル部を前記本体から取り外して前記ノズル部の長手方向に対して略垂直方向に分離可能であることを特徴とする。
【００１０】
また、請求項３記載の発明は、請求項１又は２記載の発明において、前記弁機構には前記通路を前記弁体で開口する開口量を調節する調整部材を備え、前記調整部材を着脱可能に遮蔽するカバー部材を有することを特徴とする。
【発明の効果】
【００１１】
請求項１記載の発明によれば、ノズル部は、本体に一端部が接続され他端部が先端部に設けられている吐出口部材に接続されている可撓性を有する樹脂製のチューブと、チューブ及び吐出口部材の周囲に設けられ一端部が本体に着脱可能に接続されているカバー部材とを有するため、給湯水栓のノズル部に手等が触れて火傷することを防止すると共に、ノズル部を本体から取り外して清掃又は交換することができる。
【００１２】
また、請求項２記載の発明によれば、ノズル部は、ノズル部を本体から取り外してノズル部の長手方向に対して略垂直方向に分離可能であるため、ノズル部の内部に設けられているチューブ及び／又は吐出口部材を取り外して清掃又は交換することができる。
【００１３】
また、請求項３記載の発明によれば、弁機構には通路を弁体で開口する開口量を調節する調整部材を備え、調整部材を着脱可能に遮蔽するカバー部材を有するため、調整部材が悪戯されることを防止することができる。
【発明を実施するための最良の形態】
【００１４】
以下、本発明に係る給湯水栓の実施形態を図面に基づいて説明する。図１及び図２は、本発明に係る給湯水栓の一実施形態を説明する図である。
【００１５】
図１は、本実施形態の給湯水栓10を示す縦断面図である。給湯水栓10は、本体12とノズル部14とから概略構成されている。
【００１６】
本体12の一端部は、円筒状に形成され外周には雄螺子が刻設されている。本体12の一端から所定距離には、段部12aが形成されている。本体12の一端部には、段部12aに当接するように内周に雌螺子が刻設され円筒状に形成されているフランジ部材16が設けられている。本体12の一端部は、図示しない給湯部に形成されている内周に雌螺子が刻設されている孔と円筒状に形成されているパッキン18を介してフランジ部材16と当接するように螺合する。本体12の一端部には、有底の孔12bが形成されている。本体12の一端部に形成されている孔12bの底部12cには、孔12dが形成されている。本体12の中央部には、上方に突出して円筒部12eが設けられている。本体12の中央部に形成されている円筒部12eの先端部は、先細り形状に形成されている。本体12の中央部に形成されている円筒部12eの基端部の外周には、雄螺子が刻設されている。本体12の中央部に形成されている円筒部12eの基端の外側には、平面部12fと円筒状の段部12gが形成されている。本体12の中央部に形成されている段部12gの外周には、雄螺子が刻設されている。本体12の中央部の円筒部12eには、孔12hが形成されている。本体12の中央部の孔12hは、本体12の一端部の孔12dと連通している。本体12の他端部には、有底の孔12iが形成されている。本体12の他端部に形成されている孔12iの内周の他端部には、雌螺子が刻設されている。本体12の他端部に形成されている孔12iの底部12jには、孔12kが形成されている。本体12の中央部の孔12hは、本体12の他端部の孔12kと連通している。本体12には、給湯部と外部とを連通する通路が形成されている。尚、本体12の素材としては、例えば、真鍮が挙げられる。また、フランジ部材16の素材としては、同様に、例えば、真鍮が挙げられる。
【００１７】
本体12には、弁機構18が設けられている。弁機構18は、弁体20を備えている。弁機構18は、給湯部と外部とを連通する通路を弁体20で開閉する。弁体20は、断面略Ｔ字状に形成されフランジ部20aと軸部20bとを有している。弁体20の軸部20bの外周には、雄螺子が刻設されている。弁体20は、軸部20bが本体12の一端部の孔12dに挿入されフランジ部20aが本体12の一端部に形成されている孔12bの底部12cにパッキン22を介して当接するように形成されている。弁体20の軸部20bには、一端部の端面に内周に雌螺子が刻設されている孔24aが形成されている弁軸24が螺合されている。弁軸24は、円柱状に形成され本体12の他端部に向けて延設されている。弁軸24は、フランジ部24bと胴部24cとから構成されている。弁軸24の一端部の端面に形成されている孔24aは、胴部24cに形成されている。弁軸24のフランジ部24bは、他端部において胴部24cの外周から外側に張り出して形成されている。弁軸24の他端部は、有底の円筒状に形成されている押釦部材26の孔26aの内周と弁軸24のフランジ部24bの外周及び押釦部材26の底部26bに形成されている孔26cの内周と弁軸24の胴部24cの外周とが摺動可能となるように押釦部材26と嵌合している。押釦部材26の底部26bと弁軸24のフランジ部24bとの間には、弁軸24を押釦部材26に対して本体12の他端部側へ付勢するコイルバネ28が設けられている。押釦部材26に形成されている孔26aの内周の他端部には、雌螺子が刻設されている。押釦部材26の孔26aには、円筒状に形成され他端部の外周に雄螺子が刻設されている給湯部と外部とを連通する通路を弁体20で開口する開口量を調節する調整部材28が他端部の外周において螺合して他の外周の部位で摺動可能となるように設けられている。調整部材28の他端部の端面には、調整部材28を工具等で回転させることができるように溝部28aが形成されている。調整部材28の他端部の端面は、円弧状に形成されている。調整部材28における押釦部材26の孔26aと嵌合する部位の外周には、溝部28bが形成されている。調整部材28の溝部28bには、押釦部材26の孔26aの一端部と他端部とを水密にするＯリング30が嵌合して設けられている。押釦部材26の他端部には外周から外側に張り出しているフランジ部26dが形成されている。押釦部材26のフランジ部26dには、調整部材28を遮蔽するようにカバー部材32が着脱可能に設けられている。押釦部材26の外側には、内周が押釦部材26の外周に摺動可能に嵌合して外周に雄螺子が刻設され本体12の他端部の孔12iと螺合する円筒部材34が設けられている。円筒部材34には、内周を構成する孔34aが形成されている。押釦部材26の円筒部材34と嵌合している部位の外周には溝部26fが形成されている。押釦部材26の溝部26fには、円筒部材34の孔34aの一端部と他端部とを水密にするＯリング36が嵌合して設けられている。押釦部材26における円筒部材34の一端から外側の外周には溝部26gが形成されている。押釦部材26の溝部26gには、円筒部材34の一端部の端面に当接するようにリング部材38が設けられている。本体12の他端部に形成されている孔12iの底部12jと押釦部材26のリング部材38との間には、押釦部材26を他端部側へ付勢するコイルバネ40が設けられている。円筒部材34の他端部には、外周から張り出して本体12の他端部の端面と当接するフランジ部34bが形成されている。円筒部材34の外周の円筒部材34のフランジ��34bが本体12の他端部の端面に当接している部位には、溝部34cが形成されている。円筒部材34の溝部34cには、本体12の他端部に形成されている孔12iの一端部と他端部とを水密にするＯリング42が嵌合して設けられている。尚、弁体20、弁軸24、押釦部材26、調整部材28及び円筒部材34の素材としては、例えば、ステンレス鋼が挙げられる。また、コイルバネ28及びコイルバネ40の素材としては、同様に、例えば、ステンレス鋼が挙げられる。また、カバー部材32の素材としては、例えば、ゴムが挙げられる。
【００１８】
ノズル部14は、本体12における給湯部と外部とを連通する通路の弁体20から外部側である本体12の中央部の孔12hに連通して設けられている。ノズル部14には、上方に所定距離延びて水平方向に屈曲して所定距離延びて先端部で下方に屈曲して所定距離延びている給湯部から供給される湯の通路が形成されている。湯の通路は、チューブ50とノズル部14の先端部に設けられている吐出口部材52とから構成されている。本体12の中央部の円筒部12eには、円筒状に形成され内周の下端部側に雌螺子が刻設されている円筒部材54が螺合している。本体12の円筒部12eの先端部と円筒部材54との隙間には、チューブ50の基端部が着脱可能であって水密となるように挿入され本体12の中央部の孔12hと連通して接続されている。吐出口部材52は、円筒状に形成され上端面を有すると共に下端面に開口部を有する円筒基部52aと、円筒基部52aの上端面側の側面に先端部が段々に先細り形状となるように形成され円筒基部52と内部で連通して円筒基部52の側面に対して略垂直に接合されている円筒側部52bとを有するように形成されている。吐出口部材52の下端部には、外周から外側に張り出しているフランジ部52cが形成されている。チューブ50の先端部は、チューブ50の内周が吐出口部材52の円筒側部52bの外周に位置するように着脱可能であって水密となるように挿入され吐出口部材52の円筒側部52bの内部と連通して接続されている。チューブ50、吐出口部材52及び円筒部材54の外側には、湯の通路に沿って円筒状に形成されているカバー部材56が設けられている。チューブ50の外周の少なくとも一部は、カバー部材56の内周と離間している。カバー部材56の一端部には、外周から外側に張り出しているフランジ部56aが形成されている。カバー部材56の一端部は、円筒状に形成され内周に雌螺子が刻設され上端部に内側に張り出している張出部58aが形成されているナット部材58が本体12の中央部の段部12gと螺合してフランジ部56aを張出部58aで本体12の中央部の平面部12fに押圧して固定されている。これによって、ノズル部14が本体12に対して着脱自在とされている。カバー部材56の他端部は、外周から内側に段部56bが形成され段部56bの外周に雄螺子が刻設されている。カバー部材56の他端部の内周には、吐出口部材52のフランジ部52cと嵌合するように外側に向けて段部56cが形成されている。カバー部材56の他端部には、吐出口部材52のフランジ部52cをカバー部材56の段部56cの端面に円筒状に形成されているパッキン60を介して押圧するように円筒状に形成され内周に雌螺子が刻設され下端部で内周から内側に張り出している張出部62aが形成されカバー部材56の他端部と螺合するナット部材62が設けられている。これによって、吐出口部材52がカバー部材56の他端部に固定されている。尚、チューブ50の素材としては、例えば、可撓性を有するテフロン（登録商標）、シリコン等の樹脂が挙げられる。また、吐出口部材52及び円筒部材54の素材としては、例えば、ステンレス鋼が挙げられる。また、カバー部材56、ナット部材58及びナット部材62の素材としては、例えば、ＡＢＳ等の樹脂、金属等が挙げられる。
【００１９】
図２は、図１の給湯水栓10におけるカバー部材56を示す平面図である。カバー部材56は、上カバー部材56Aと下カバー部材56Bとから構成されている。上カバー部材56Aと下カバー部材56Bは、カバー部材56の長手方向に対して略垂直方向に分離可能に形成されている。上カバー部材56Aと下カバー部材56Bの分離は、ナット部材58と本体12の中央部の段部12gとの螺合を解除してノズル部14を本体12から取り外しナット部材58をカバー部材56から取り外すと共にナット部材62とカバー部材56との螺合を解除してナット部材62を取り外すことによってなされる。
【００２０】
次に、以上のように構成されている給湯水栓10の動作について説明する。カバー部材32が設けられている押釦部材26のフランジ部26dを本体12に対して一端部方向にコイルバネ40の付勢力に抗して押圧すると押釦部材26が本体12の一端部方向に移動する。押釦部材26が本体12の一端部方向に移動すると押釦部材26の孔26aに設けられている調整部材28が同様に本体12の一端部方向に移動して弁軸24をコイルバネ28の付勢力に抗して本体12の一端部方向に押圧する。調整部材28が弁軸24を本体12の一端部方向に押圧すると弁軸24が本体12の一端部方向に移動する。弁軸24が本体12の一端部方向に移動すると弁体20が本体12の一端部方向に移動して本体12の一端部に形成されている孔12dの開口部を開く。本体12の孔12dの開口部が開かれると給湯部から本体12の孔12dに供給されている湯が本体12の中央部に形成されている孔12hからノズル部14に供給される。ノズル部14に供給された湯はチューブ50及び吐出口部材52を通ってノズル部14の先端部であるナット部材62から外部に吐出される。また、押釦部材26のフランジ部26dの押圧を中止すると押釦部材26がコイルバネ40の付勢力で本体12の他端部側に戻される。押釦部材26が本体12の他端部側に戻されると押釦部材26の孔26aに設けられている調整部材28が本体12の他端部側に戻される。調整部材28が本体12の他端部側に戻されると調整部材28と弁軸24とが離間して弁軸24がコイルバネ28の付勢力で本体12の他端部側に戻される。弁軸24が本体12の他端部側に戻されると弁体20がパッキン22を介して本体12の一端部に形成されている孔12dの開口部を閉じる。弁体20が本体12の孔12dの開口部を閉じると給湯部から供給されている湯のノズル部14への供給が中止される。
【００２１】
また、押釦部材26のフランジ部26dに設けられているカバー部材32を取り外して調整部材28の溝部28aに工具等を挿入して調整部材28を回転させることによって、給湯部と外部とを連通する通路上に形成されている本体12の孔12dの開口部を弁体20で開口する開口量が調節され、給湯部からノズル部14を通って外部に吐出される湯量が調節される。
【００２２】
以上、本実施形態によれば、ノズル部14は、本体12に一端部が接続され他端部が先端部に設けられている吐出口部材52に接続されている可撓性を有する樹脂製のチューブ50と、チューブ50及び吐出口部材52の周囲に設けられ一端部が本体に着脱可能に接続されているカバー部材56とを有するため、給湯水栓10のノズル部14に手等が触れて火傷することを防止すると共に、ノズル部14を本体12から取り外して清掃又は交換することができる。
【００２３】
また、本実施形態によれば、ノズル部14は、本体12からノズル部14を取り外してノズル部14の長手方向に対して略垂直方向に分離可能であるため、チューブ50及び／又は吐出口部材52を取り外して清掃又は交換することができる。
【００２４】
また、本実施形態によれば、弁機構18には弁体20の開口量を調節する調整部材28を備え、調整部材28を着脱可能に遮蔽するカバー部材32を有するため、調整部材28が悪戯されることを防止することができる。
【００２５】
尚、本発明は上記実施形態に限定されるものではなく、本発明の要旨の範囲内において種々の変形実施が可能である。
【図面の簡単な説明】
【００２６】
【図１】本発明に係る給湯水栓の一実施形態を示す縦断面図である。
【図２】図１の給湯水栓のノズル部を示す平面図である。
【符号の説明】
【００２７】
10  給湯水栓
12  本体
14  ノズル部
18  弁機構
20  弁体
28  調整部材
32  カバー部材
50  チューブ
52  吐出口部材
56  カバー部材
【図１】
2005163458.tif 000003
【図２】
2005163458.tif 000004